(57)【要約】
【課題】　　　　　　鉢植え植物の花芽に対して常に光が当たるようにし、かつ、葉組み作業の労力と時間を軽減することにより高品質、かつ、ローコストで鉢植え植物を栽培できるようにする。
【解決手段】　　　　切欠部３を有する輪状体からなる切欠輪状体４と２本の穿孔基足５、６並びに２本の差込足７、８をプラスチックス材にて一連成形し、かつ、水平状の切欠輪状体４に垂下して一体成形した前記２本の穿孔基足５、６に前記差込足７、８を各々連結して構成した鉢植え植物栽培における葉組み用リング支柱を確保する。
【選択図】　　　　　図１
0003099302.tif 000002
【実用新案登録請求の範囲】
【請求項１】
　切欠部（３）を有する輪状体からなる水平状の切欠輪状体（４）に２本の差込足（７）、（８）を垂下して設けてなる鉢植え植物栽培における葉組み用リング支柱。
【請求項２】
　切欠部（３）を有する輪状体からなる切欠輪状体（４）と２本の穿孔基足（５）、（６）並びに２本の差込足（７）、（８）をプラスチックス材にて一連成形し、かつ、水平状の切欠輪状体（４）に垂下して一体成形した前記２本の穿孔基足（５）、（６）に前記差込足（７）、（８）を各々連結してなる鉢植え植物栽培における葉組み用リング支柱。
【請求項３】
　プラスチックス材に銀色顔料を混入した請求項２記載の鉢植え植物栽培における葉組み用リング支柱。
【考案の詳細な説明】
【技術分野】
【０００１】
　本考案は、葉を外側にかき寄せて常に葉芽（つぼみ）に光が当たるようにした鉢植え植物栽培における葉組み用リング支柱に関する。
【背景技術】
【０００２】
　鉢植え植物、特にシクラメンの栽培は花の見映えや全体との感覚からして植木鉢の中央部に花芽を、また、その周囲を葉で囲繞して植え、花をそれらの葉より突出して中央部に育成させるのが一般的である。
【０００３】
　このように、見映えの良い鉢植えシクラメンを育成栽培するためには、植物の生育生長過程を見計らって葉組み作業を間欠的に行わねばならない。
【０００４】
　この葉組み作業は、植木鉢の中央で葉の陰にかくれている花芽に日光等の光が当たるように葉を内側から全体的に外側にかき寄せる作業であり、従来から全て手作業で行なう多大な労力を費やすもので、鉢植えシクラメンの栽培生産者にとっては必要不可欠の作業である。
【０００５】
　そして、従来この種の葉組み用リングには半円弧状の鉄棒２３、２４を相互に対向するとともに、一端を切欠部２５として残してビニール製カバー２６で覆包したものがある（例えば、図７参照。）。
　また、一定長の細幅プラスチックス板２７の一端に凹状体２８を、他端に開閉爪２９をそれぞれ一体成形し、該開閉爪２９を前記凹状体２８の穴３０に通すことにより輪状体となしたものもある（例えば、図８参照。）。
　さらに、葉組み用リングではないが、鉢植え植物の生長に伴って支柱を伸ばすようにした組み立て覆いが知られている（例えば、特許文献１参照。）。
【０００６】
　前記、図７は芯である鉄棒２３、２４が錆びにくく、かつ、直射日光による高温を防ぐためにビニール製カバー２６で覆包されていて、葉のかき寄せ設定作業が容易であるが、高価であるばかりでなく重過ぎて植物自体に損傷を与えやすく、しかも、切欠部２５がずれやすく高さ調整ができない。
　また、図８は細幅プラスチックス板２７を輪状になしたのちは、凹状体２８の穴３０を通過した開閉爪２９が開いてしまうのでその着脱調整が困難である。これも、高さ調整はできない。
　前記何れの場合でも、植物生長過程において間欠的に手作業で葉組み作業を行なわねばならない。
　そして、特許文献１は鉢植え植物の生長に伴って支柱を伸ばすことはできるが、遮光や遮水のための覆いであり、本考案とは全く逆目的のものである。
【０００７】
【特許文献１】特開２００２−１１２６４４号公報（第５頁、図１３）
【考案の開示】
【考案が解決しようとする課題】
【０００８】
　本考案が解決しようとする問題点は、植物に損傷を与えることなく葉組み設定がワンタッチで確実にできること、及び植物の生育成長に伴ってそのままの状態で高さ調整ができることが相俟って労力を低減し常に花芽に光を与え高品質の鉢植え植物を提供し、また、簡易な製造工程によってコスト安とした本格的な葉組み用リング支柱を提供することを目的とする。
【課題を解決するための手段】
【０００９】
　而して、上記の問題点を改善すべくなした本考案の要旨は、切欠部を有する輪状体からなる切欠輪状体と２本の穿孔基足並びに２本の差込足をプラスチックス材にて一連成形し、かつ、水平状の切欠輪状体に垂下して一体成形した前記２本の穿孔基足に前記差込足を各々連結してなる鉢植え植物栽培における葉組み用リング支柱にある。
【００１０】
　そしてまた、前記プラスチックス材に銀色顔料を加えてなるものである。なお、銀色顔料に代えて抗菌剤とすることもできる。
【００１１】
　要するに、本考案は切欠部を有する輪状体からなる水平状の切欠輪状体に２本の差込足を垂下して設けた構成であるから、切欠輪状体並びに２本の穿孔基足の付け根部を両手で押さえて差込足を鉢土に押し込むと、中央部の花芽に被さっていた葉は葉の茎とともに切欠輪状体の外周部に沿って中央部周辺から外側へと柔軟性・弾力性を以ってかき寄せられ、花芽が植木鉢の中央部に出現される。
【００１２】
　このとき、葉や茎が切欠輪状体に絡む場合には切欠輪状体は切欠部を有するので全方向に対して弾力性・柔軟性があるので、切欠部を少し広げて間口を開ければ茎に伴って円滑に葉を外側へかき寄せることができる。
　また、２本の差込足の埋め込みによってワンタッチで鉢土の２箇所に強固、かつ、確実に設定できる。
【００１３】
　そして、鉢植え植物が生育生長しても２本の差込足によって切欠輪状体は不動のものとなり、常に切欠輪状体の反発力・弾性力によって葉を外側に柔軟性を以ってかき寄せ拘束し、花芽を中央部に出現させている。
【００１４】
　また、鉢植え植物の生育生長に伴って茎や葉の背丈が高くなったり、広がったりしてきた場合には、ワンタッチで切欠輪状体を少しづつ持ち上げることにより設定場所を変えることなく常に対処できる。
【００１５】
　従って、葉は中央部から外側へかき寄せられ、花芽は常に中央部に出現しているから、当該植物の生育過程において常に光が花芽に万遍なく、かつ、十分に当てながら鉢植え植物栽培ができる。
【００１６】
　また、設定されている葉組み用リング支柱が不要になった場合は、単に持ち上げればワンタッチで鉢土から外すことができ、葉や茎に絡まった場合には切欠部を広げながら持ち上げて抜けばよい。
【考案の効果】
【００１７】
　本考案は前記独特の構成並びに作用機能に基づくものであるから、植物の生長過程に伴ってその葉組み作業がワンタッチで対処できる。
　従って、煩雑な労力と時間が省けるとともに常に一定高品質の鉢植え植物をコスト安で安定的に提供できる。
【００１８】
　請求項１によればプラスチックス材は勿論、それ以外の材料、例えば竹材や木材等を加工し製造することにより適用できる。
【００１９】
　また、請求項２及び３によれば本体は切欠輪状体と穿孔基足が一体的に、差込足も一連に同一金型で瞬時に成形でき、ローコストで提供できる。
【００２０】
　また、請求項３によれば、光を反射させるので熱を吸収せず、しかも、虫除け作用を有するから生育不良品をなくし、一層高品質の鉢植え植物を栽培できる。
【考案を実施するための最良の形態】
【００２１】
　次に、本考案の実施形態について図面を参照しつつ説明する。なお、図１は本考案の本体の斜視図、図２は同じく金型成形した正面図、図３は同じく側面図、図４及び図５は本考案の一実施形態の断面説明図、図６は同じく平面図、図７及び図８は従来品の説明図である。
【００２２】
　図中、１は本体である。本体１は銀色顔料をプラスチックス材に混入し、これを金型に流して各部材を同時成形したものである。
【００２３】
　すなわち、本体注入口２から圧入されたプラスチックス材は切欠部３を有する切欠輪状体４、該切欠輪状体４から直角的に同方向に突出する２本の穿孔基足５、６を一体成形し、及び前記切欠輪状体４の内部に一端を連続し他端を自由端とした２本の差込足７、８を同時に成形したものである。
【００２４】
　本体１は前記金型によって得られた成形品を取り出し、切欠輪状体４と連続している本体注入口２及び２本の差込足７、８をそれぞれ切り離し、これを切欠輪状体４と一体成形した２本の穿孔基足５、６の孔９、１０にそれぞれ差し込んで組み立てて構成したものである。なお、注入口２と２本の差込足７、８は細い線で切欠輪状体４にそれぞれ一連成形されて連結しているので、その連結部１１、１２、１３を捻れば容易に切り離すことができる。
【００２５】
　また、２本の差込足７、８の孔９、１０に対する差込部１４、１５を鋭部とし他端先部１６、１７をテーパーを付してそれぞれ成形しておけば、穿孔基足５、６への連結並びに鉢土１８への差し込みが簡便となる。なお、１９は植木鉢、２０は花芽、２１は葉、２２は茎を示す。
【図面の簡単な説明】
【００２６】
【図１】本考案に係る本体の一実施態様を示す斜視図である。
【図２】本考案に係る本体各部材の金型成形態様を示す正面図である。
【図３】本考案に係る本体各部材の金型成形態様を示す側面図である。
【図４】本考案に係る本体を鉢植え植物に適用した断面図である。
【図５】本考案に係る本体を鉢植え植物に適用した断面図である。
【図６】本考案に係る本体を鉢植え植物に適用した平面図である。
【図７】従来技術の葉組み用リングを示す説明的正面図である。
【図８】従来技術の葉組み用リングを示す斜視図である。
【符号の説明】
【００２７】
　１　　本体
　２　　本体注入口
　３　　切欠部
　４　　切欠輪状体
　５　　穿孔基足
　６　　穿孔基足
　７　　差込足
　８　　差込足
　９　　孔
１０　　孔
１１　　連結部
１２　　連結部
１３　　連結部
１４　　差込部
１５　　差込部
１６　　先部
１７　　先部
１８　　鉢土
１９　　植木鉢
２０　　花芽
２１　　葉
２２　　茎
【図１】
0003099302.tif 000003
【図２】
0003099302.tif 000004
【図３】
0003099302.tif 000005
【図４】
0003099302.tif 000006
【図５】
0003099302.tif 000007
【図６】
0003099302.tif 000008
【図７】
0003099302.tif 000009
【図８】
0003099302.tif 000010